【手続補正書】
【提出日】平成21年1月20日(2009.1.20)
【手続補正１】
【補正対象書類名】明細書
【補正対象項目名】００２２
【補正方法】変更
【補正の内容】
【００２２】
すなわち、上記の作業は、不正を行ったプレーヤ一人一人に対して個別的に行う作業であり、しかもプレーヤ９１の反省度合いに応じて対応の仕方が異なるものである。例えば不正者が記載する反省や約束等の文書を一つ一つチェックし、不正者が本当に反省しているか否かを判断する必要があり、非常に煩雑な作業をともなうとともに、プレーヤ９１に対する電子メール等での返答に少なからず時間を要するものであった。また、不正を行うプレーヤ９１は年々増大しており、このような現状においては、サポートセンター９６の作業員に、より負担がかかるものとなっていた。
【手続補正２】
【補正対象書類名】明細書
【補正対象項目名】００６９
【補正方法】変更
【補正の内容】
【００６９】
ディスク２５には、ゲームのゲームプログラムや種々のデータが記録されている。このゲーム運営システムでは、オンラインゲームが実行可能なオンラインモードと、ネットワーク回線９には接続せずにゲーム装置６及びその周辺装置（モニタ２３等）を用いてゲームを楽しむオフラインモードとが準備されており、ディスク２５には、主としてオフラインモード用のゲームプログラムが記録されている。このゲームプログラムには、ポリゴンデータ及びテクスチャーデータ等によって構成され、ゲーム画面を構成するキャラクタ画像データや背景画像データ等の３次元画像データや、ゲーム進行上の状況等を表すデータ、及びＢＧＭや各種効果音として用いられる音声データ等が含まれている。
【手続補正３】
【補正対象書類名】明細書
【補正対象項目名】００８９
【補正方法】変更
【補正の内容】
【００８９】
ここで、「ＭＭＢＢ」とは、課金業務会社２が運営しているサービスの名称であり、ログインＩＤとは、上記サービスにおけるプレーヤ３のこのオンラインゲームに参加する際に必要なＩＤであり、プレーヤ３が予め登録したものである。また、「カプコンＩＤ」とは、当オンラインゲームに登場するキャラクタにおいてゲーム提供会社１側が独自に設定しているＩＤである。
【手続補正４】
【補正対象書類名】明細書
【補正対象項目名】００９４
【補正方法】変更
【補正の内容】
【００９４】
当該ゲーム装置６では、禁止解除不可メッセージの表示データを受信すると、モニタ２３に、図９に示すように、「●●●●年●月●日●●：●●にご利用のキャラクター［カプコンＩＤ：ＡＡＡＡＡＡ、ＨＮ：ＢＢＢＢＢＢＢＢ］でデータ改造が見つかりました。ＭＭＢＢログインＩＤ［ａ１２３４５６７８９］のお客様は○年○月○日にも改造データによる接続禁止の措置を行わせていただいており、利用規約に再同意いただいているにも関わらず、再度改造データが見つかりました。誠に申し訳ございませんが、これ以上は利用規約をお守りいただけないと判断し、将来に渡っての接続をお断りさせていただきます。なお、マルチマッチングＢＢサービスの解約手続きを行われない限り、月額基本料金は発生致しますのでご注意下さい。」といった禁止解除不可メッセージ（一例）が表示される。なお、「ＨＮ」とは、そのキャラクタのハンドルネームである。
【手続補正５】
【補正対象書類名】明細書
【補正対象項目名】０１０７
【補正方法】変更
【補正の内容】
【０１０７】
なお、ゲーム装置６では、先に送信された解除案内メッセージの表示データを一旦ＲＡＭ３６等に記憶しておき、利用規約メッセージの表示画面が表示されているときに「戻る」ボタン４４が選択されると、記憶した解除案内メッセージの表示データを読み出してモニタ２３に表示させるようにしてもよい。
【手続補正６】
【補正対象書類名】明細書
【補正対象項目名】０１１８
【補正方法】変更
【補正の内容】
【０１１８】
利用規約全文（その２）メッセージの表示画面には、前画面に戻ることを示す「戻る」ボタン５１、及びプレーヤ３に同意を求めるための「同意画面へ」ボタン５２が設けられている。これらのボタン５１，５２は、プレーヤ３による操作コントローラ２２の操作により、いずれかが選択可能となっている。
【手続補正７】
【補正対象書類名】明細書
【補正対象項目名】０１３８
【補正方法】変更
【補正の内容】
【０１３８】
解除確約（その２）メッセージの表示画面には、ログアウトを要請するための「ログアウト」ボタン５７が設けられている。プレーヤ３は、「ログアウト」ボタン５７を選択すると、そのことを示す制御信号がゲームサーバ５に送信される。ゲームサーバ５は、「ログアウト」ボタン５７が選択されたことの制御信号を受信したと判別すると（Ｓ４５：ＹＥＳ）、ゲーム装置６との通信を遮断する（Ｓ４６）。
【手続補正８】
【補正対象書類名】明細書
【補正対象項目名】０１４３
【補正方法】変更
【補正の内容】
【０１４３】
プレーヤ３は、一旦再同意しないことにしたが上記警告メッセージによって再同意しようと考え、「戻る」ボタン５８を選択すると、そのことを示す制御信号がゲームサーバ５に送信される。ゲームサーバ５は、「戻る」ボタン５８が選択されたことの制御信号を受信したと判別すると（Ｓ４９：ＹＥＳ）、同意選択メッセージ（図１６参照）の表示データをゲーム装置６に再び送信する（図４のＳ３７）。
【手続補正９】
【補正対象書類名】明細書
【補正対象項目名】０１５５
【補正方法】変更
【補正の内容】
【０１５５】
プレーヤ３は、「前へ」ボタン６３を選択すると、そのことを示す制御信号がゲームサーバ５に送信される。ゲームサーバ５は、「前へ」ボタン６３が選択されたことの制御信号を受信したと判別すると（Ｓ５７：ＹＥＳ）、問合せメッセージ（図２０参照）の表示データをゲーム装置６に再び送信する（Ｓ５２）。
【手続補正１０】
【補正対象書類名】明細書
【補正対象項目名】０１６２
【補正方法】変更
【補正の内容】
【０１６２】
プレーヤ３は、「戻る」ボタン６５を選択すると、そのことを示す制御信号がゲームサーバ５に送信される。ゲームサーバ５は、「戻る」ボタン６５が選択されたことの制御信号を受信したと判別すると（Ｓ６２：ＹＥＳ）、解除案内メッセージの表示データをゲーム装置６に再び送信する（Ｓ２３）。
【手続補正１１】
【補正対象書類名】明細書
【補正対象項目名】０１６３
【補正方法】変更
【補正の内容】
【０１６３】
また、プレーヤ３は、このゲーム装置６を使用可能な者に確認したが、不正を行った事実が明らかにならなかった場合に、「問合せ」ボタン６６を選択すると、そのことを示す制御信号がゲームサーバ５に送信される。ゲームサーバ５は、「問合せ」ボタン６６が選択されたことの制御信号を受信したと判別すると（Ｓ６３：ＹＥＳ）、問合せメッセージ（図２０参照）の表示データをゲーム装置６に送信する（図６のＳ５２）。これにより、ゲーム装置６のモニタ２３には、図２０に示した問合せメッセージの表示画面が表示され、サポートセンター４に対して問合せを行うことができる。
【手続補正１２】
【補正対象書類名】図面
【補正対象項目名】図２
【補正方法】変更
【補正の内容】
【図２】
2007207159.tif 000001
【手続補正１３】
【補正対象書類名】図面
【補正対象項目名】図３
【補正方法】変更
【補正の内容】
【図３】
2007207159.tif 000002
【手続補正１４】
【補正対象書類名】図面
【補正対象項目名】図５
【補正方法】変更
【補正の内容】
【図５】
2007207159.tif 000003